(57)【要約】【課題】放電ランプの不点時に、スイッチング素子の進相電流によるストレスを容易に抑制可能な放電ランプ点灯装置およびこの放電ランプ点灯装置を配設する照明器具を提供する。【解決手段】放電ランプ点灯装置１は、放電ランプ５の点灯時に、共振回路４の固有共振周波数ｆ０よりも低い発振周波数ｆ１でインバータ回路３のスイッチング素子ＦＥＴ２，ＦＥＴ３のオンオフ動作を制御する制御手段７と、放電ランプ５が不点のときに、前記固有共振周波数ｆ０の１／３ないし１／２の範囲内に設定された下限周波数の発振周波数ｆｄで前記スイッチング素子ＦＥＴ２，ＦＥＴ３をオンオフ動作させる固定周波数動作手段７とを具備する。【選択図】図２
2006324198.tif 000002
【特許請求の範囲】
【請求項１】
直流電圧を出力する直流電源と；
スイッチング素子を備え、このスイッチング素子のオンオフ動作により前記直流電圧を高周波電圧に変換して出力するインバータ回路と；
少なくともインダクタおよび共振用コンデンサを有してなり、インバータ回路の出力間に接続されて前記高周波電圧により共振する共振回路と；
前記共振用コンデンサの両端間に接続され、共振回路の共振作用によって点灯する放電ランプと；
放電ランプが定電力となるように、または放電ランプに定電流が流れるように共振回路の固有共振周波数よりも低い発振周波数で前記スイッチング素子のオンオフ動作を制御する制御手段と；
放電ランプが不点のときに、前記固有共振周波数の１／３ないし１／２の範囲内に設定された下限周波数の発振周波数で前記スイッチング素子をオンオフ動作させる固定周波数動作手段と；
を具備していることを特徴とする放電ランプ点灯装置。
【請求項２】
直流電源から出力される直流電圧を検出する直流電圧検出回路と；
を具備し、直流電圧検出回路が設定した直流電圧の下限値以下を検出したときに、固定周波数動作手段は、前記下限周波数の発振周波数で前記スイッチング素子をオンオフ動作させることをリセットすることを特徴とする請求項１記載の放電ランプ点灯装置。
【請求項３】
請求項１または２記載の放電ランプ点灯装置と；
この放電ランプ点灯装置を配設している照明器具本体と；
を具備していることを特徴とする照明器具。
【発明の詳細な説明】
【技術分野】
【０００１】
本発明は、インバータ回路により放電ランプを高周波点灯する放電ランプ点灯装置およびこの放電ランプ点灯装置を配設する照明器具に関する。
【背景技術】
【０００２】
放電ランプは、寿命末期になると、半波放電などの異常放電が起こり、あるいは不点になる。そして、異常放電により、電極近傍が異常に加熱され、ガラスバルブ、プラスチック製の口金、ソケットなどが溶融するという問題があり、不点の状態は、高電圧が出力されている状態であり電撃等の危険性が生じるという問題がある。このような問題を回避するために、放電ランプの不点や寿命末期などの異常を検出したときに、インバータ回路の動作を停止することが行われている。
【０００３】
しかしながら、放電ランプの不点時に、インバータ回路のスイッチング素子に進相電流が流れ、この進相電流が流れている期間にスイッチング素子をターンオフするとスイッチング素子のストレスが大きくなるという問題がある。このため、インバータ回路の少なくとも一方のスイッチング素子の両端にインダクタおよびコンデンサの直列回路を並列に備えた放電灯点灯装置が提案されている（例えば、特許文献１参照。）。この従来技術の放電灯点灯装置は、放電ランプが不点の場合に生じる進相電流と、インダクタおよびコンデンサの直列回路を介して流れる電流とが合成されることにより、スイッチング素子に進相電流が流れないように、あるいは、進相電流による過大なストレスが低減されるというものである。
【特許文献１】特開平１０−１７２７７７号公報（第３頁、第１図）
【発明の開示】
【発明が解決しようとする課題】
【０００４】
特許文献１の放電灯点灯装置は、少なくとも一方のスイッチング素子の両端にインダクタおよびコンデンサを具備するので、これらを回路基板に実装するスペースが必要となるとともに、高価になるという欠点を有する。
【０００５】
本発明は、放電ランプの不点時に、スイッチング素子の進相電流によるストレスを容易に抑制可能な放電ランプ点灯装置およびこの放電ランプ点灯装置を配設する照明器具を提供することを目的とする。
【課題を解決するための手段】
【０００６】
請求項１に記載の放電ランプ点灯装置の発明は、直流電圧を出力する直流電源と；スイッチング素子を備え、このスイッチング素子のオンオフ動作により前記直流電圧を高周波電圧に変換して出力するインバータ回路と；少なくともインダクタおよび共振用コンデンサを有してなり、インバータ回路の出力間に接続されて前記高周波電圧により共振する共振回路と；前記共振用コンデンサの両端間に接続され、共振回路の共振作用によって点灯する放電ランプと；放電ランプが定電力となるように、または放電ランプに定電流が流れるように共振回路の固有共振周波数よりも低い発振周波数で前記スイッチング素子のオンオフ動作を制御する制御手段と；放電ランプが不点のときに、前記固有共振周波数の１／３ないし１／２の範囲内に設定された下限周波数の発振周波数で前記スイッチング素子をオンオフ動作させる固定周波数動作手段と；を具備していることを特徴とする。
【０００７】
本発明および以下の各発明において、特に言及しない限り、各構成は以下による。
【０００８】
直流電源は、バッテリ、交流電圧を整流または整流平滑したもの、あるいは、これらにチョッパ回路を接続したものなどのいずれでもよい。
【０００９】
固有共振周波数ｆ０は、ｆ０＝１／（２π（ＬＣ）１／２）の計算式で算出することができる。ここで、Ｌはインダクタのインダクタンス値、Ｃは共振用コンデンサのキャパシタンス値である。
【００１０】
共振回路の固有共振周波数ｆ０より大きい発振周波数でインバータ回路のスイッチング素子のオンオフ動作を制御することで、放電ランプの電極に十分な予熱電流が流れて当該電極が十分に予熱されるように、共振回路のインダクタのインダクタンス値および共振用コンデンサのキャパシタンス値などを設定することができる。
【００１１】
また、放電ランプの点灯時、固有共振周波数ｆ０よりも高い発振周波数でスイッチング素子をオンオフ動作させるようにすると、放電ランプが不点になってもスイッチング素子に進相電流が流れないものである。したがって、本発明は、放電ランプの点灯時に、固有共振周波数ｆ０よりも低い発振周波数でスイッチング素子のオンオフ動作を制御させるものに限定している。
【００１２】
放電ランプの不点時において、共振回路の固有共振周波数ｆ０に対して、ｆ０／３ないしｆ０／２の周波数のときに相対的に小さな低次の共振が現われる。すなわち、スイッチング素子がオンすると、インバータ回路の発振周波数に対して第３次ないし第２次の高調波の共振が起こり、その共振電流がスイッチング素子を流れる。このとき、スイッチング素子の順方向（主電極間）に共振電流が流れている時にスイッチング素子がオフされ、スイッチング素子に過大な進相電流が流れることが抑制される。
【００１３】
本発明によれば、放電ランプが不点のときに、固定周波数動作手段は、共振回路の固有共振周波数の１／３ないし１／２の範囲内に設定された下限周波数の発振周波数でインバータ回路のスイッチング素子をオンオフ動作させる。これにより、放電ランプの不点時には、スイッチング素子の順方向に電流が流れている時にスイッチング素子がオフされて、スイッチング素子に進相電流によるストレスが発生することが抑制される。
【００１４】
請求項２に記載の放電ランプ点灯装置の発明は、請求項１記載の放電ランプ点灯装置において、直流電源から出力される直流電圧を検出する直流電圧検出回路と；を具備し、直流電圧検出回路が設定した直流電圧の下限値以下を検出したときに、固定周波数動作手段は、前記下限周波数の発振周波数で前記スイッチング素子をオンオフ動作させることをリセットすることを特徴とする。
【００１５】
本発明によれば、放電ランプが不点となり、固定周波数動作手段により下限周波数の発振周波数でインバータ回路のスイッチング素子がオンオフ動作されているときに、直流電源から出力される直流電圧が設定した直流電圧の下限値以下になると、当該オンオフ動作がリセットされる。
【００１６】
請求項３に記載の照明器具の発明は、請求項１または２記載の放電ランプ点灯装置と；この放電ランプ点灯装置を配設している照明器具本体と；を具備していることを特徴とする。
【００１７】
本発明によれば、請求項１または２記載の放電ランプ点灯装置を具備する照明器具が提供される。
【発明の効果】
【００１８】
請求項１の発明によれば、放電ランプが不点になると、固定周波数動作手段が共振回路の固有共振周波数の１／３ないし１／２の範囲内に設定された下限周波数の発振周波数でインバータ回路のスイッチング素子をオンオフ動作させ、スイッチング素子に進相電流によるストレスが発生することを抑制するので、放電ランプの不点時におけるスイッチング素子の破壊を容易に防止することができる。
【００１９】
請求項２の発明によれば、直流電源から出力される直流電圧が設定した直流電圧の下限値以下になると、固定周波数動作手段は、下限周波数の発振周波数でインバータ回路のスイッチング素子をオンオフ動作させることをリセットするので、直流電源から出力される直流電圧が設定した直流電圧の下限値を超える回復をした時に、放電ランプを予熱して始動、点灯させることができる。
【００２０】
請求項３の発明によれば、請求項１または２記載の放電ランプ点灯装置を具備する照明器具を提供することができる。
【発明を実施するための最良の形態】
【００２１】
以下、本発明の一実施の形態について、図面を参照して説明する。まず、本発明の第１の実施形態について説明する。
【００２２】
図１ないし図５は、本発明の第１の実施形態を示し、図１は放電ランプ点灯装置の概略回路図、図２はスイッチング素子の発振周波数に対するランプ電圧の変化図、図３は放電ランプの正常点灯時におけるスイッチング素子のドレイン、ソース間電圧、ドレイン電流波形図、図４は共振回路の固有共振周波数の１／３の下限周波数におけるスイッチング素子のドレイン、ソース間電圧、ドレイン電流波形図、図５は共振回路の固有共振周波数の１／２の下限周波数におけるスイッチング素子のドレイン、ソース間電圧、ドレイン電流波形図である。
【００２３】
図１において、放電ランプ点灯装置１は、直流電源２、インバータ回路３、共振回路４、放電ランプとしての蛍光ランプ５、ランプ電圧検出回路６、制御手段および固定周波数動作手段としてのインバータ回路用制御回路７、さらに直流電圧検出回路８を有して構成されている。
【００２４】
直流電源２は、直流電圧発生回路９およびチョッパ回路１０からなっている。直流電圧発生回路９は、整流装置１１およびフィルター用のコンデンサＣ１を有してなり、商用交流電源Ｖｓの交流電圧を直流電圧に変換して、この直流電圧をコンデンサＣ１の両端間に出力する。整流装置１１の入力側は、ノイズフィルターであるコモンモードチョーク１２を介して商用交流電源Ｖｓに接続されている。また、コンデンサＣ１の負極側は、コンデンサＣ２を介してアースＥに接続されている。
【００２５】
チョッパ回路１０は、コンデンサＣ１の両端間に接続されたインダクタＬ１および電界効果トランジスタＦＥＴ１の直列回路と、電界効果トランジスタＦＥＴ１の両端間に接続されたダイオードＤ１および平滑用コンデンサＣ３の直列回路を有して構成されている。そして、電界効果トランジスタＦＥＴ１のゲートは、チョッパ回路用制御回路１３に接続されている。
【００２６】
チョッパ回路用制御回路１３は、電界効果トランジスタＦＥＴ１をオンオフ動作させ、コンデンサＣ１の両端間に発生した直流電圧を昇圧する。これにより、平滑用コンデンサＣ３の両端間に所定の直流電圧（例えば４１０Ｖ）が発生する。平滑用コンデンサＣ３の両端間電圧は、インバータ回路３の入力電圧として出力される。
【００２７】
そして、インバータ回路３は、平滑用コンデンサＣ３の両端間にハーフブリッジに接続されたスイッチング素子としての電界効果トランジスタＦＥＴ２および電界効果トランジスタＦＥＴ３の直列回路を有して構成されている。電界効果トランジスタＦＥＴ２および電界効果トランジスタＦＥＴ３のそれぞれのゲート、ソースは、駆動回路１４に接続されている。また、電界効果トランジスタＦＥＴ２および電界効果トランジスタＦＥＴ３のそれぞれのドレイン、ソース間には、それぞれ寄生ダイオードＤ２，Ｄ３が接続されている。
【００２８】
電界効果トランジスタＦＥＴ２および電界効果トランジスタＦＥＴ３のそれぞれのゲート、ソース間には、駆動回路１４から駆動電圧（パルス電圧）が交互に供給される。これにより、電界効果トランジスタＦＥＴ２および電界効果トランジスタＦＥＴ３が交互にオンオフ動作する。このオンオフ動作により、直流電源２から出力された直流電圧は、高周波電圧に変換され、電界効果トランジスタＦＥＴ３のドレイン、ソース間に出力される。電界効果トランジスタＦＥＴ３のドレイン、ソース間は、インバータ回路３の出力間となっている。
【００２９】
インバータ回路３の出力間には、直列的に接続された直流カット用コンデンサＣ４、インダクタＬ２および共振用コンデンサＣ５を有する共振回路４が接続されている。そして、共振用コンデンサＣ５に、蛍光ランプ５が並列接続されている。蛍光ランプ５のフィラメント電極５ａ，５ｂのそれぞれの両端は、インダクタＬ２の予熱巻線Ｌ２ａ，Ｌ２ｂのそれぞれの両端間に接続されている。
【００３０】
共振回路４は、電界効果トランジスタＦＥＴ３のドレイン、ソース間に出力する高周波電圧により共振する。そして、蛍光ランプ５は、共振回路４の共振作用によって点灯する。すなわち、蛍光ランプ５の予熱時に、蛍光ランプ５のフィラメント電極５ａ，５ｂが予熱巻線Ｌ２ａ，Ｌ２ｂに流れる予熱電流によりそれぞれ予熱され、始動電圧印加時に、フィラメント電極５ａ，５ｂ間に高電圧の共振電圧（始動電圧）が印加され、点灯時に、所定の共振電圧（点灯電圧）が印加される。
【００３１】
共振回路４の直流カット用コンデンサＣ４の容量は、０．０６８μＦであり、インダクタＬ２のインダンタンス値は、０．７２ｍＨであり、共振用コンデンサＣ５の容量は、２２００ｐＦとなっている。したがって、共振回路４の固有共振周波数（ｆ０）は、ｆ０＝１／（２π（ＬＣ）１／２）の計算式により、１２６ｋＨｚである。ここで、ＬはインダクタＬ２のインダクタンス値、Ｃは共振用コンデンサＣ５および直流カット用コンデンサＣ４のそれぞれのキャパシタンス値の合計である。直流カット用コンデンサＣ４の容量は、共振用コンデンサＣ５の容量よりも非常に大きいので、前記計算式に算入しなくてもよい。
【００３２】
ランプ電圧検出回路６は、蛍光ランプ５の電源側のフィラメント電極５ａ，５ｂ間に接続された抵抗Ｒ１および抵抗Ｒ２の直列回路を有して構成され、当該直列回路により検出された蛍光ランプ５の両端間電圧（ランプ電圧）をインバータ回路用制御回路７およびランプ電力検出回路１５に出力する。
【００３３】
そして、電界効果トランジスタＦＥＴ３のソースおよび蛍光ランプ５のフィラメント電極５ｂ間には、抵抗Ｒ３が介挿され、抵抗Ｒ３の両端間電圧がランプ電力検出回路１５に入力されている。抵抗Ｒ３は、蛍光ランプ５のランプ電流を検出する。そして、ランプ電力検出回路１５は、入力したランプ電圧およびランプ電流から蛍光ランプ５のランプ電力を演算してインバータ回路用制御回路７に出力するように構成されている。
【００３４】
また、インバータ回路用制御回路７は、ランプ電圧検出回路６から入力したランプ電圧により、蛍光ランプ５の不点を判断するものである。すなわち、ランプ電圧検出回路６は、蛍光ランプ５の不点を検出する役目も果たしている。
【００３５】
直流電圧検出回路８は、チョッパ回路１０の平滑用コンデンサＣ３の両端間に接続された抵抗Ｒ４および抵抗Ｒ５の直列回路を有して構成されている。そして、当該直列回路により、直流電源２から出力される直流電圧を検出して、抵抗Ｒ５の両端間電圧をインバータ回路用制御回路７に入力している。
【００３６】
インバータ回路用制御回路７は、各種演算処理を行うＣＰＵ、プログラムが格納されたＲＯＭおよび各種データが記憶されているＲＡＭなどを具備している。そして、プログラムに基づいて電界効果トランジスタＦＥＴ２，ＦＥＴ３の発振周波数を算出するなどの各種演算を行い、電界効果トランジスタＦＥＴ２，ＦＥＴ３のオンオフ動作を制御するように構成されている。すなわち、商用交流電源Ｖｓが投入されると動作を開始して、初期化の処理後、予熱時制御、始動電圧印加時制御および点灯時制御の順序でインバータ回路３の電界効果トランジスタＦＥＴ２，ＦＥＴ３のオンオフ動作を制御する。
【００３７】
インバータ回路用制御回路７は、図２に示すように、蛍光ランプ５の予熱時に、共振回路４の固有共振周波数ｆ０（１２６ＫＨｚ）より十分大きい発振周波数ｆｐ（例えば１７０ＫＨｚ）で電界効果トランジスタＦＥＴ２，ＦＥＴ３のオンオフ動作を制御する。これにより、蛍光ランプ５のフィラメント電極５ａ，５ｂに、予熱巻線Ｌ２ａ，Ｌ２ｂを介して共振回路４の共振による共振電流が流れて、フィラメント電極５ａ，５ｂが十分に予熱される。
【００３８】
その後、共振回路４の固有共振周波数ｆ０より大きく、前記発振周波数ｆｐよりも低い発振周波数ｆｓ（例えば１４５ＫＨｚ）で電界効果トランジスタＦＥＴ２，ＦＥＴ３のオンオフ動作を制御する。これにより、蛍光ランプ５のフィラメント電極５ａ，５ｂに高電圧の共振電圧が印加され、蛍光ランプ５が始動する。
【００３９】
そして、蛍光ランプ５の点灯時に、固有共振周波数ｆ０より低い発振周波数ｆ１（例えば６０ＫＨｚ）で電界効果トランジスタＦＥＴ２，ＦＥＴ３のオンオフ動作を制御する。そして、ランプ電力検出回路１５からの検出信号に応じて、蛍光ランプ５のランプ電力が定電力（例えば１１０Ｗ）となるように、電界効果トランジスタＦＥＴ２，ＦＥＴ３の発振周波数を演算（算出）して、演算した発振周波数で電界効果トランジスタＦＥＴ２，ＦＥＴ３のオンオフ動作を制御する。
【００４０】
そして、インバータ回路用制御回路７は、ランプ電圧検出回路６が蛍光ランプ５の不点を検出したときに、下限周波数の発振周波数ｆｄ（例えば４５ＫＨｚ）で電界効果トランジスタＦＥＴ２，ＦＥＴ３をオンオフ動作させるように構成されている。下限周波数の発振周波数ｆｄは、固有共振周波数ｆ０の１／３ないし１／２の範囲内に設定され、記憶部１６に記憶されている。そして、インバータ回路用制御回路７は、例えば商用交流電源Ｖｓの投入が解除され、直流電圧検出回路８が設定した直流電圧の下限値（例えば３００Ｖ）を検出したときに、下限周波数の発振周波数ｆｄで電界効果トランジスタＦＥＴ２，ＦＥＴ３をオンオフ動作させることをリセットするように構成されている。このリセットにより、商用交流電源Ｖｓが再投入されたときに、インバータ回路用制御回路７は、電界効果トランジスタＦＥＴ２，ＦＥＴ３のオンオフ動作を予熱時制御、始動電圧印加時制御および点灯時制御の順序で制御することができる。
【００４１】
次に、本発明の第１の実施形態の作用について述べる。
【００４２】
商用交流電源Ｖｓが投入されると、インバータ回路用制御回路７は、インバータ回路３の電界効果トランジスタＦＥＴ２，ＦＥＴ３を予熱時制御、始動電圧印加時制御および点灯時制御の順序で制御して、蛍光ランプ５を点灯させる。蛍光ランプ５が点灯した直後、電界効果トランジスタＦＥＴ２，ＦＥＴ３は、発振周波数ｆ１（例えば６０ＫＨｚ）でオンオフ動作される。
【００４３】
そして、インバータ回路用制御回路７は、ランプ電力検出回路１５から出力された検出信号に応じて、蛍光ランプ５のランプ電力が定電力となるように、電界効果トランジスタＦＥＴ２，ＦＥＴ３の発振周波数を変化させる。これにより、蛍光ランプ５は、一定のランプ電力（例えば１１０Ｗ）で点灯される。
【００４４】
図３は、蛍光ランプ５が正常に点灯している時の電界効果トランジスタＦＥＴ３のドレイン、ソース間電圧およびドレイン、ソース間に流れるドレイン電流の変化を示したものである。なお、電界効果トランジスタＦＥＴ２についても同様である。図中、ドレイン電流が零の期間は、電界効果トランジスタＦＥＴ３がオフしている期間、電界効果トランジスタＦＥＴ２がオンしている期間であり、ドレイン電流が流れている期間は、逆に、電界効果トランジスタＦＥＴ３がオンしている期間、電界効果トランジスタＦＥＴ２がオフしている期間である。また、負の電流は、電界効果トランジスタＦＥＴ３の寄生ダイオードＤ３に電流が流れている期間である。
【００４５】
蛍光ランプ５の正常点灯時、電界効果トランジスタＦＥＴ３のドレイン側からソース側に電流が流れている時に、電界効果トランジスタＦＥＴ３がオンし、電界効果トランジスタＦＥＴ２がオフしている。したがって、ハーフブリッジに接続されている電界効果トランジスタＦＥＴ２および電界効果トランジスタＦＥＴ３が同時にオン状態になることがないものである。
【００４６】
そして、蛍光ランプ５が例えば寿命となって不点になると、この不点がランプ電圧検出回路６で検出されて、インバータ回路用制御回路７に入力される。インバータ回路用制御回路７は、下限周波数の発振周波数ｆｄで電界効果トランジスタＦＥＴ２，ＦＥＴ３をオンオフ動作させる。これにより、共振回路５の共振電流が電界効果トランジスタＦＥＴ２，ＦＥＴ３に流れるようになる。ここで、下限周波数の発振周波数ｆｄは、共振回路４の固有共振周波数ｆ０（１２６ＫＨｚ）の１／３ないし１／２の範囲に設定されている。
【００４７】
図４は、蛍光ランプ５の不点時に共振回路４の固有共振周波数ｆ０の１／３の発振周波数で電界効果トランジスタＦＥＴ２，ＦＥＴ３がオンオフ動作している時の電界効果トランジスタＦＥＴ３のドレイン、ソース間電圧およびドレイン、ソース間に流れるドレイン電流の変化を示したものである。なお、電界効果トランジスタＦＥＴ２についても同様である。図中、ドレイン電流が零の期間は、電界効果トランジスタＦＥＴ３がオフしている期間、電界効果トランジスタＦＥＴ２がオンしている期間であり、ドレイン電流が流れている期間は、逆に、電界効果トランジスタＦＥＴ３がオンしている期間、電界効果トランジスタＦＥＴ２がオフしている期間である。また、負の共振電流は、電界効果トランジスタＦＥＴ３の寄生ダイオードＤ３に共振電流が流れている期間である。
【００４８】
図４において、電界効果トランジスタＦＥＴ３のドレイン側からソース側に電流が流れている時に、電界効果トランジスタＦＥＴ３がオンし、電界効果トランジスタＦＥＴ２がオフする。したがって、ハーフブリッジに接続されている電界効果トランジスタＦＥＴ２および電界効果トランジスタＦＥＴ３が同時にオン状態になることがないものである。この結果、チョッパ回路１０の平滑用コンデンサＣ３の両端間が短絡されず、電界効果トランジスタＦＥＴ２，ＦＥＴ３に短絡電流が流れず、短絡電流によるストレスが防止される。
【００４９】
図４に示す負の電流は、図１において、電界効果トランジスタＦＥＴ３の寄生ダイオードＤ３、直流カット用コンデンサＣ４、インダクタＬ２および共振用コンデンサＣ５の閉回路内で流れている。この電流が流れているときに、電界効果トランジスタＦＥＴ３がオフ制御されると、電界効果トランジスタＦＥＴ３は、特性上、０．１ないし数μｓが経過した後に完全にオフする。
【００５０】
一方、電界効果トランジスタＦＥＴ２は、オン制御されてオンするので、前記０．１ないし数μｓの期間、電界効果トランジスタＦＥＴ２および電界効果トランジスタＦＥＴ３が同時にオンすることになり、チョッパ回路１０の平滑用コンデンサＣ３から供給される電流が大きな進相電流となって、電界効果トランジスタＦＥＴ２，ＦＥＴ３に流れる。この結果、電界効果トランジスタＦＥＴ２，ＦＥＴ３に過大なストレスが加わり、電界効果トランジスタＦＥＴ２，ＦＥＴ３が破壊されるおそれが生じる。
【００５１】
電界効果トランジスタＦＥＴ３の寄生ダイオードＤ３に電流が流れている負の電流の期間に電界効果トランジスタＦＥＴ３がオフ制御されるのは、共振回路４の固有共振周波数ｆ０の１／３を下回ると現れるようになる。したがって、蛍光ランプ５の不点時には、共振回路４の固有共振周波数ｆ０の１／３以上の発振周波数で電界効果トランジスタＦＥＴ２，ＦＥＴ３をオンオフ動作させるものある。
【００５２】
また、図５は、蛍光ランプ５の不点時に共振回路４の固有共振周波数ｆ０の１／２の発振周波数で電界効果トランジスタＦＥＴ２，ＦＥＴ３がオンオフ動作している時の電界効果トランジスタＦＥＴ３のドレイン、ソース間電圧およびドレイン、ソース間に流れるドレイン電流の変化を示したものである。なお、電界効果トランジスタＦＥＴ２についても同様である。
【００５３】
図４において説明したように、電界効果トランジスタタＦＥＴ３の寄生ダイオードＤ３に電流が流れている（負の電流が流れている）ときに、電界効果トランジスタＦＥＴ３はオフしないので、電界効果トランジスタＦＥＴ２および電界効果トランジスタＦＥＴ３が同時にオンすることが防止される。すなわち、蛍光ランプ５の不点時に、共振回路４の固有共振周波数ｆ０の１／２以下の発振周波数で電界効果トランジスタＦＥＴ２，ＦＥＴ３がオンオフ動作することにより、前記０．１ないし数μｓの期間、電界効果トランジスタＦＥＴ２，ＦＥＴ３に短絡電流が流れることを抑制することができる。
【００５４】
上述したように、蛍光ランプ５が例えば寿命となって不点になると、インバータ回路用制御回路７が共振回路４の固有共振周波数ｆ０の１／３ないし１／２の範囲内に設定された下限周波数の発振周波数ｆｄでインバータ回路３の電界効果トランジスタＦＥＴ２，ＦＥＴ３をオンオフ動作させるので、前記０．１ないし数μｓの期間であっても、電界効果トランジスタＦＥＴ２，ＦＥＴ３に短絡電流が流れることが容易に抑制される。したがって、蛍光ランプ５が不点になった時の電界効果トランジスタＦＥＴ２，ＦＥＴ３の破壊が防止される。
【００５５】
そして、蛍光ランプ５の不点を検出したときに、電界効果トランジスタＦＥＴ２，ＦＥＴ３のオンオフ動作を停止させる場合であっても、電界効果トランジスタＦＥＴ２，ＦＥＴ３のオンオフ動作が停止するまでの期間、インバータ回路用制御回路７は、蛍光ランプ５のランプ電力が定電力となるように前記オンオフ動作を制御せずに、前記下限周波数の発振周波数ｆｄで電界効果トランジスタＦＥＴ２，ＦＥＴ３をオンオフ動作させるようにする。これにより、電界効果トランジスタＦＥＴ２，ＦＥＴ３のオンオフ動作が停止するまでの期間に亘り、電界効果トランジスタＦＥＴ２，ＦＥＴ３に短絡電流が流れることを抑制され、電界効果トランジスタＦＥＴ２，ＦＥＴ３の破壊が防止される。
【００５６】
そして、インバータ回路用制御回路７は、直流電源２から出力される直流電圧が設定した直流電圧の下限値（例えば３００Ｖ）以下になると、下限周波数の発振周波数ｆｄで電界効果トランジスタＦＥＴ２，ＦＥＴ３をオンオフ動作させることをリセットする。そして、不点となった蛍光ランプ５を新品に交換して、商用交流電源Ｖｓを再投入すると、インバータ回路用制御回路７は、電界効果トランジスタＦＥＴ２，ＦＥＴ３のオンオフ動作を予熱時制御、始動電圧印加時制御および点灯時制御の順序で制御するので、通常どおり、蛍光ランプ５が点灯される。
【００５７】
次に、本発明の第２の実施形態について説明する。
【００５８】
図６は、本発明の第２の実施形態を示す放電ランプ点灯装置の概略回路図である。なお、図１と同一部分には同一符号を付して説明は省略する。
【００５９】
図６に示す放電ランプ点灯装置１７は、図１に示す放電ランプ点灯装置１において、蛍光ランプ５のランプ電流を検出する抵抗Ｒ３の両端間電圧がインバータ回路用制御回路７に入力さるように構成されている。そして、インバータ回路用制御回路７は、蛍光ランプ５に定電流のランプ電流（例えば０．８Ａ）が流れるように、電界効果トランジスタＦＥＴ２，ＦＥＴ３のオンオフ動作を制御するように構成されている。以下、図１に示す放電ランプ点灯装置１と同様である。
【００６０】
次に、本発明の第３の実施形態について説明する。
【００６１】
図７は、本発明の第３の実施形態を示す照明器具の外観図である。なお、図１と同一部分には同一符号を付して説明は省略する。
【００６２】
図７に示す照明器具１８は、天井などの造営物に設置される直付け照明器具であり、照明器具本体１９が造営物に取り付けられている。照明器具本体１９は、反射面２０ａを有するカバー２０を配設し、その両端に一対のランプソケット２１，２１が設けられている。また、照明器具本体１９は、カバー２０内に放電ランプ用点灯装置２２を配設している。放電ランプ用点灯装置２２は、図１に示す放電ランプ点灯装置１において、蛍光ランプ５が除去されたものである。そして、蛍光ランプ５は、ランプソケット２１，２１に装着されている。
【００６３】
照明器具１８は、図１に示す放電ランプ点灯装置１を配設しているので、不点となった蛍光ランプ５を新品の蛍光ランプ５に交換して、新品の蛍光ランプ５を通常どおり点灯させることができる。
【図面の簡単な説明】
【００６４】
【図１】本発明の第１の実施形態を示す放電ランプ点灯装置の概略回路図。
【図２】同じく、スイッチング素子の発振周波数に対するランプ電圧の変化図。
【図３】同じく、放電ランプの正常点灯時におけるスイッチング素子のドレイン、ソース間電圧、ドレイン電流波形図。
【図４】同じく、共振回路の固有共振周波数の１／３の下限周波数におけるスイッチング素子のドレイン、ソース間電圧、ドレイン電流波形図。
【図５】同じく、共振回路の固有共振周波数の１／２の下限周波数におけるスイッチング素子のドレイン、ソース間電圧、ドレイン電流波形図。
【図６】本発明の第２の実施形態を示す放電ランプ点灯装置の概略回路図。
【図７】本発明の第３の実施形態を示す照明器具の外観図。
【符号の説明】
【００６５】
１，１７…放電ランプ点灯装置
２…直流電源
３…インバータ回路
４…共振回路
５…放電ランプとしての蛍光ランプ
６…ランプ電圧検出回路
７…制御手段および固定周波数動作手段としてのインバータ回路用制御回路
８…直流電圧検出回路
１８…照明器具
１９…照明器具本体
【図１】
2006324198.tif 000003
【図２】
2006324198.tif 000004
【図３】
2006324198.tif 000005
【図４】
2006324198.tif 000006
【図５】
2006324198.tif 000007
【図６】
2006324198.tif 000008
【図７】
2006324198.tif 000009